(57)【要約】【課題】ヒールによって踵が高く持ち上げられる靴に関し、足下が小さく見えるように創作されたデザインを極力崩すことなく足の痛みを軽減し、長時間安定して歩行することができる。【解決手段】本底４０は、相対的に硬い先端部分４０ｔが、この靴１を履いた人の中足骨９１０と中足骨９１０よりも前側になる趾骨９０の基節骨９０１との関節前端９４０１からつま先９０ｔまで拡がる蹴上領域Ｓｋの真下になる部位に位置し、関節前端９４０１から中足骨骨頭部９１０１にかけて拡がる荷重領域Ｓｉの真下になる部位に相対的にやわらかい衝撃吸収部材４７を有するものであり、衝撃吸収部材４７は、本底４０の上面４０ａに開口した凹部４５に嵌め込まれたものである。【選択図】        図６
2009050636.tif 000002
【特許請求の範囲】
【請求項１】
下面側が地面に接し、中足骨骨頭部の高さ位置から踵骨を３０ｍｍ以上持ち上げるヒールを有する本底を備えた靴において、
前記本底は、相対的に硬い先端部分が、この靴を履いた人の中足骨と該中足骨よりも前側になる趾骨の基節骨との関節前端からつま先まで拡がる蹴上領域の真下になる部位に位置し、該関節前端から中足骨骨頭部にかけて拡がる荷重領域の真下になる部位に相対的にやわらかい衝撃吸収部材を有するものであり、
前記衝撃吸収部材は、前記本底の上面に開口した凹部に嵌め込まれたものであることを特徴とする靴。
【請求項２】
前記本底は、この靴を履いた人の踵骨の下に、この本底よりも反発力が高い高反発部材を有するものであり、
前記高反発部材は、前記本底の上面に開口した第２の凹部に嵌め込まれたものであることを特徴とする請求項１記載の靴。
【請求項３】
この靴を履いた人の足を覆うアッパー素材と、
この靴を履いた人の足裏が接する中敷と
前記中敷と前記本底の間に設けられ、前記アッパー素材が裏面に貼り付けられたシート状の中底とを備え、
前記中底は、前記衝撃吸収部材の真上に位置する切抜孔と、該切抜孔を塞ぐ、この中底よりもやわらかいシート部材とを有するものであることを特徴とする請求項１記載の靴。
【請求項４】
前記荷重領域の下に、趾の並び方向中央に向けて両端から漸次上方へ盛り上がった横アーチサポート部材を有することを特徴とする請求項１記載の靴。
【発明の詳細な説明】
【技術分野】
【０００１】
本発明は、ヒールによって踵が高く持ち上げられる靴に関する。
【背景技術】
【０００２】
人が歩行するときに足裏にかかる体重は、主として足裏の３箇所にかかる。
【０００３】
図１は、人が歩行するときに足裏のどの部分に体重がかかるかを説明するための図である。
【０００４】
図１（ａ）には、足裏が接地している状態の人の足を内足側（第１趾９１側）から見た側面図が示されており、その下の図１（ｂ）には、足裏の骨格を表す平面図が示されている。
【０００５】
本来、歩行している人の足裏全体が接地すると、体重は主として、踵骨９２０付近と、第１趾中足骨９１１の骨頭部９１１１付近と、第５趾中足骨９１５の骨頭部９１５１付近との３箇所にかかる。図１（ｂ）には、それら３箇所それぞれを丸で囲んで示している。ここで、第２趾から第４趾９２〜９４それぞれの中足骨骨頭部９１２１，９１３１，９１４１付近に体重がかからないのは、正常な人の足の中足骨はアーチ状になっているからである。
【０００６】
図２は、正常な人の足をつま先側から見たときの模式図である。
【０００７】
図２に示す足９の中足骨９１０の部分は、趾９１〜９５の並ぶ方向（図２における左右方向）Ｗにアーチ状（弧状）になっており、第２趾９２から第４趾９４にかけての中足骨の部分では、地面Ｇとの間に隙間Ｓができている。
【０００８】
図１に示す足裏の３箇所に体重がかかった後、前進を続けようとすると、体重は一旦、踵骨９２０付近の１箇所にだけかかり、その後、第１趾９１と第２趾９２によって地面を蹴り上げることで前進する。
【０００９】
ところが、ヒールによって踵が高く持ち上げられる婦人靴では、足裏全体が接地しても、ヒールが高ければ高いほど、体重が踵骨９２０付近にはかかりにくくなり、体重の大部分が、第１趾中足骨骨頭部９１１１付近と、第５趾中足骨骨頭部９１５１付近との２箇所にかかるようになってくる。体重の大部分が、これら２箇所にかかるようになってくると、歩行を繰り返すうちに足の骨格が変形してくる。
【００１０】
図３は、ヒールによって踵が高く持ち上げられた婦人靴を履き続けた結果、足の骨格が変形した様子を模式的に示した図である。
【００１１】
体重の大部分が、第１趾中足骨骨頭部９１１１付近と、第５趾中足骨骨頭部９１５１付近との２箇所にかかるようになった状態で歩行を続けると、図２に示す中足骨９１０のアーチ形状がつぶれ、図３（ａ）に示すように中足骨９１０’は扁平形状になってくる。すなわち、図２に示す隙間Ｓがなくなり、第１趾中足骨骨頭部９１１１付近や第５趾中足骨骨頭部９１５１付近よりも、むしろ第２趾９２から第４趾９４にかけての中足骨骨頭部９１２１，９１３１，９１４１（図１参照）付近に体重の大半がかかるようになってくる。こうなると、これらの中足骨骨頭部９１２１，９１３１，９１４１それぞれをつなぐ靱帯が拡がった状態になり、この状態で歩行すると、歩くたびに加わる衝撃によって、これらの靱帯がさらに伸ばされたり、あるいはこれらの靱帯に負荷がかかって痛みを伴うようになり、長時間歩行することが困難になる。また、本来体重がかかることがなかった第２趾９２から第４趾９４にかけての中足骨骨頭部９１２１，９１３１，９１４１を守るために、図３（ｂ）に示すように、これらの中足骨骨頭部９１２１，９１３１，９１４１を下側から覆う足裏の皮膚に胼胝や角質層９９が形成され、この胼胝や角質層９９が割れたりすると、これらもまた歩くたびに痛みを伴うようになり長時間歩行することが困難になる。
【００１２】
ところで、運動靴では、主としてスポーツ競技を行うにあたり、そのスポーツ競技に適した荷重がかかりやすいように、あるいは反発力を高めること等の目的で、下面側が地面に接する本底よりも上方に、かなり厚みをもった発泡体を設けたものが知られている（例えば、特許文献１等参照）。
【特許文献１】特開２００７−１５９５９７号公報
【発明の開示】
【発明が解決しようとする課題】
【００１３】
しかしながら、特許文献１に記載された運動靴では、スポーツ競技に適した荷重はかかりやすいかもしれないが、前進する際に地面を蹴り上げる第１趾９１と第２趾９２の下まで発泡体が入り込んでおり、人が前進しようとして蹴り上げる力がその発泡体によって減衰されてしまい、歩行する際に不安定になる。しかも、ヒールによって踵が高く持ち上げられる婦人靴等の靴では、運動靴に比べただでさえ不安定であるため、このように発泡体によってさらに不安定になることは非常に問題である。
【００１４】
さらに、ヒールによって踵が高く持ち上げられる靴の多くは、そもそも本底よりも上方に十分なスペースがなく、また、このような靴では、足下をいかにしてエレガントに見せるかが重要になり、足下が小さく見えるようにデザインされることが多い。そのため、ヒールによって踵が高く持ち上げられる靴に、特許文献１に記載された運動靴のようにして発泡体を設けることは不可能である。
【００１５】
本発明は上記事情に鑑み、ヒールによって踵が高く持ち上げられる靴に関し、足下が小さく見えるように創作されたデザインを極力崩すことなく足の痛みを軽減し、長時間安定して歩行することができることを目的とするものである。
【課題を解決するための手段】
【００１６】
上記目的を解決する本発明の靴は、下面側が地面に接し、中足骨骨頭部の高さ位置から踵骨を３０ｍｍ以上持ち上げるヒールを有する本底を備えた靴において、
上記本底は、相対的に硬い先端部分が、この靴を履いた人の中足骨とその中足骨よりも前側になる趾骨の基節骨との関節前端からつま先まで拡がる蹴上領域の真下になる部位に位置し、その関節前端から中足骨骨頭部にかけて拡がる荷重領域の真下になる部位に相対的にやわらかい衝撃吸収部材を有するものであり、
上記衝撃吸収部材は、上記本底の上面に開口した凹部に嵌め込まれたものであることを特徴とする。
【００１７】
本発明の靴によれば、上記衝撃吸収部材が上記本底に設けられた凹部に嵌め込まれたものであるため、靴の底部を薄くすることができ、足下が小さく見えるように創作されたデザインを極力崩すことなく上記衝撃吸収部材を設けることができる。この衝撃吸収部材は、中足骨骨頭部付近にかかる衝撃を分散かつ吸収し、その結果、本発明の靴では足の痛みが軽減され、長時間歩行することができる。また、この衝撃吸収部材は、前進する際に地面を蹴り上げる第１趾と第２趾の真下には存在せず、第１趾と第２趾による蹴り上げ力は、上記本底の先端部分によって地面にしっかりと伝わる。そのため、本発明の靴では安定して歩行することができる。
【００１８】
また、本発明の靴において、上記本底は、この靴を履いた人の踵骨の下に、この本底よりも反発力が高い高反発部材を有するものであり、
上記高反発部材は、上記本底の上面に開口した第２の凹部に嵌め込まれたものであることが好ましい。
【００１９】
上記高反発部材は、第１趾と第２趾によって地面を蹴り上げて前進する前に踵骨付近の１箇所にだけかかる体重によって、一旦押しつぶされるように変形するが、こうして変形した高反発部材には元の形に戻ろうとする復元力が強く働き、この復元力が第１趾と第２趾による地面の蹴り出しをアシストし、足がさらに疲れにくくなる。
【００２０】
さらに、本発明の靴において、この靴を履いた人の足を覆うアッパー素材と、
この靴を履いた人の足裏が接する中敷と
上記中敷と上記本底の間に設けられ、上記アッパー素材が裏面に貼り付けられたシート状の中底とを備え、
上記中底は、上記衝撃吸収部材の真上に位置する切抜孔と、その切抜孔を塞ぐ、この中底よりもやわらかいシート部材とを有するものである態様も好ましい。
【００２１】
上記中底は、上記アッパー素材が裏面に貼り付けられて固定されることから、それなりに硬いものであり、上記本底に衝撃吸収部材をせっかく設けても、足を接地した際の衝撃がこの中底によって跳ね返され、結局は歩くたびに痛みを伴うようになってしまう。しかしながら上記態様によれば、足を接地した際の衝撃が、上記本底に設けた衝撃吸収部材に、上記中底に設けたシート部材によって伝わり、足の痛みが軽減される。しかも、上記シート部材は、上記衝撃吸収部材と協働して、足を接地した際の衝撃を分散かつ吸収する働きも担う。そのため、このシート部材の厚み分、上記本底に設ける衝撃吸収部材の厚みを薄くすれば、その本底も薄くすることができ、足下が小さく見えるように創作されたデザインに与える影響がより小さくなる。なお、上記シート部材も、第１趾と第２趾の真下には存在しないため、第１趾と第２趾による蹴り上げ力が地面にしっかりと伝わる。
【００２２】
またさらに、本発明の靴において、上記荷重領域の下に、趾の並び方向中央に向けて両端から漸次上方へ盛り上がった横アーチサポート部材を有することも好ましい。
【００２３】
図３（ａ）に示すような扁平形状になった中足骨が、この横アーチサポート部材によって、図２に示すようなアーチ形状に戻され、中足骨骨頭部をつなぐ靱帯の拡がりが解消されて足の痛みがさらに軽減される。また、アーチ形状に戻されたことにより足の両側（趾の並び方向両側）が靴に擦れて痛くなることも抑えられる。
【００２４】
ここで、上記本底が、上記ヒールの前側に地面と１５ｍｍ以上の高さ空間を有するものであることが、足下をより小さくエレガントに見せるデザインにつながり、このようなデザインには本発明が特に有効である。
【発明の効果】
【００２５】
本発明によれば、踵が高く持ち上げられる靴に関し、足下が小さく見えるように創作されたデザインを極力崩すことなく足の痛みを軽減し、長時間安定して歩行することができる。
【発明を実施するための最良の形態】
【００２６】
以下図面を参照して本発明の実施の形態を説明する。
【００２７】
図４は、本発明の一実施形態である婦人靴を示す外足側（第５趾側）の側面図である。
【００２８】
図４に示す婦人靴１は、アッパー素材１０、中敷２０、中底３０、および本底４０を備えている。中敷２０は、足裏全体の形にあわせてカットされたシート状のものであり、足裏の、つま先から踵にかけての全体が接する。図４では、この中敷２０が見えるように、また本底４０の内部構造がわかるように透視図的に示している。
【００２９】
アッパー素材１０は、足を覆う革製のものであるが、図４に示す婦人靴１では、甲の部分が広くあき、エレガントなデザインを演出している。このアッパー素材１０には、足首にかけるベルト部材１１が設けられている。また、図４に示す婦人靴１では、いわゆるセメント方式が採用されており、アッパー素材１０は、中底３０の裏面に貼り付けられて固定されている。
【００３０】
図５は、図４に示す中底の裏面を示す底面図である。
【００３１】
図５に示すように、中底３０も、中敷２０と同じように足裏全体の形にあわせてカットされたものである。アッパー素材１０は、この中底３０の裏面３０ａにおける外縁全周にわたって貼り付けられている。中底３０は、図４に示す本底４０に貼り付けられ、また、中底３０の上には、後述するスポンジシートを介して中敷２０が貼り付けられ、中敷２０、中底３０、および本底４０は一体化される。
【００３２】
図６は、中敷、中底、および本底が一体化される前の分解斜視図である。
【００３３】
図６に示すように、中底３０はシート状のものである。より具体的にいえば、ここに示す中底３０は、厚さが０．８ｍｍ以上５ｍｍ以下のボール紙製のものであるが、これに限定されるものではない。この中底３０の硬度は、ＪＩＳ  Ｋ６３０１−１９７５に規定されたスプリング式硬さ計（ＪＩＳ−Ａ形）を用いて測定すると４５以上の値である。なお、以下、硬度については上記スプリング式硬さ計を用いて測定したときの値をいう。
【００３４】
また、本底４０は、足裏全体の形にあわせて成形されたウレタン製のものであり、その硬度は４５以上の値である。この本底４０は、下面４００側が地面に接する。ここに示す本底４０では、ヒール４１が、その下側４００側の、踵骨の下になる部分に一体的に設けられているが、このヒールを交換自在に別体として設けてもよい。図４に示すように、このヒール４１は、この靴を履いた人の中足骨骨頭部の高さ位置から踵骨を３０ｍｍ以上持ち上げるものである。また、本底４０は、このヒール４１の前側（つま先側）に地面と１５ｍｍ以上の高さ空間を有するものである。図４に示す婦人靴１では、このようなヒール４１が設けられていることによって踵が高く持ち上げられ、中足骨骨頭部の下になる部分４０１は接地するが、その後ろの土踏まずの下になる部分４０２には地面との間に大きな空間が設けられ、足下が小さく見えるデザインになっている。また、ヒール４１は接地部に、滑り止め用のゴム４１１１が底部に嵌め込まれたウレタンリフト４１１を有する。なお、中足骨骨頭部の下になる部分４０１にも滑り止め用のゴム４２が嵌め込まれている。さらに、ヒール４１の内部には、強度を高めるためＡＢＳ（Ａｃｒｙｌｏｎｉｔｒｉｌｅ  Ｂｕｔａｄｉｅｎｅ  Ｓｔｙｒｅｎｅ）樹脂製の芯材４１２が設けられており、この芯材４１２から前方に向かって金属製のシャンク４３が延びている。
【００３５】
図６に示すように、本底４０の、中底３０が貼り合わされる上面４０ａには、中底３０の厚み分立ち上がったリブ４４が全周にわたって設けられている。そのリブ４４で囲まれた領域の形状は、中底３０の形状に合致しており、中底３０は、そのリブ４４で囲まれた領域に嵌め込まれ、本底４０の上面４０ａに接着される。
【００３６】
図７は、足裏の骨格を表す平面図である。
【００３７】
この図７には、人の足裏における蹴上領域Ｓｋや荷重領域Ｓｌが示されている。蹴上領域Ｓｋは、中足骨９１０と、その中足骨９１０よりも前側になる趾骨９０の基節骨９０１との関節９４０の前端９４０１からつま先９０ｔまで拡がる領域であり、図７では左下がりの斜線で示した領域である。一方、荷重領域Ｓｌは、その関節前端９４０１から中足骨骨頭部９１０１にかけて拡がる領域であり、図７では右下がりの斜線で示した領域である。
【００３８】
図６に示す本底４０には、その上面４０ａに開口した２つの凹部が設けられている。すなわち、図７に示す荷重領域Ｓｌの真下になる位置に、上方に向かって開口した凹部４５が設けられ、踵骨９２０の真下になる位置にも同じく上方に向かって開口した第２の凹部４６が設けられている。荷重領域Ｓｌ真下の凹部４５には、本発明にいう衝撃吸収部材の一例に相当する衝撃吸収スポンジ４７が嵌め込まれる。この衝撃吸収スポンジ４７は、本底４０よりもやわらかいものであり、その硬度は１０以上３０以下の値である。衝撃吸収スポンジ４７としては、例えば、ウレタンやゴム等の合成樹脂の発泡体からなるものを用いることができる。なお、本発明にいう衝撃吸収部材は必ずしもスポンジ状である必要はない。図７には、衝撃吸収スポンジ４７が、この婦人靴１を履いた人の足裏のどの位置にくるかを１点鎖線で示している。衝撃吸収スポンジ４７は、荷重領域Ｓｌの真下から後方に向かって拡がるように存在し、蹴上領域Ｓｋの真下には存在しない。蹴上領域Ｓｋの真下には、衝撃吸収スポンジ４７よりも硬い本底４０の先端部分４０ｔが存在する。
【００３９】
また、踵骨９２０真下の第２の凹部４６には、本発明にいう高反発部材の一例に相当する高反発スポンジ４８が嵌め込まれる。この高反発スポンジ４８は、本底４０よりも反発力が高く、硬度が１０以上３０以下のものである。高反発スポンジ４８の材料としては、高反発弾性を有する合成樹脂の発泡体を用いることができる。なお、本発明にいう高反発部材は必ずしもスポンジ状である必要はない。
【００４０】
ここで、衝撃吸収スポンジ４７と高反発スポンジ４８を比べると、これらのスポンジ４７，４８の上に小さな鉛玉を落としてみればわかるように、衝撃吸収スポンジ４７では鉛玉はほとんど跳ね返らない。一方、高反発スポンジ４８では鉛玉はしっかりと跳ね返る。両スポンジ４７，４８とも鉛玉が落ちた所は一旦陥没しその後、元の形状に復元する。一般的には、高反発スポンジ４８の方が衝撃吸収スポンジ４７よりも復元スピードが速いが、衝撃吸収スポンジ４７を、衝撃吸収特性を優先しつつも、復元スピードが比較的速いものにしてもよく、あるいは、復元スピードが相対的に速いものと復元スピードが相対的に遅いものを貼り合わせて積層構造にし、下側に復元スピードが相対的に速いものがくるように凹部４５に嵌め込んでもよい。さらには、衝撃吸収スポンジ４７の下に、高反発スポンジ４８と同じスポンジを配置してもよい。
【００４１】
また、蹴上領域Ｓｋ真下の凹部４５にしても、踵骨９２０真下の第２の凹部４６にしても、これらの凹部４５，４６を画定する壁のうち前側の壁４５１，４６１と後側の壁４５２，４６２はいずれも、下方へ行くほど開口面積が小さくなるように傾斜している。すなわち、前側の壁４５１，４６１は後側に向かって傾斜しており、後側の壁４５２，４６２は前側に向かって傾斜している。また、これらの凹部４５，４６に嵌め込まれる衝撃吸収スポンジ４７も高反発スポンジ４８も、前側の端面４７１，４８１は、前側の壁４５１、４６１の傾斜に合致するように後側に傾斜しており、後側の端面４７２，４８２は、後側の壁４５２，４６２に合致するように前側に傾斜している。このため、衝撃吸収スポンジ４７も高反発スポンジ４８も、前端部では前側に向かうほど厚みが薄くなり、後端部では後側に向かうほど厚みが薄くなる。これは、この婦人靴１を履いた人が、これらの凹部４５，４６に嵌め込まれた衝撃吸収スポンジ４７や高反発スポンジ４８の硬さと本底４０の硬さとの違いを感じにくくするためである。すなわち、これらの凹部４５，４６の前側の縁と後側の縁を境にして硬さが急に変わることを防止し、この本底４０における前側の壁４５１，４６１の部分では、前側に向かうほど徐々に硬くなり、後側の壁４５２，４６２の部分では、後側に向かうほど徐々に硬くなるようにするためである。
【００４２】
また、図５や図６に示すように、中底３０には、切抜孔３１と第２の切抜孔３２との２つの切抜孔が設けられている。図６に示す切抜孔３１は、衝撃吸収スポンジ４７の真上に位置し、本発明にいう衝撃吸収部材の一例に相当する衝撃吸収シート３３によって塞がれる。この衝撃吸収シート３３は、中底３０よりもやわらかいものであり、その硬度は１０以上３０以下の値である。衝撃吸収シート３３としては、例えば、ウレタンやゴム等の合成樹脂からなるものを用いることができる。また、衝撃吸収シート３３の厚みは、中底３０の厚みと等しい厚みである。切抜孔３１は、蹴上領域Ｓｋ真下の凹部４５の開口縁４５１に沿って切抜かれた孔である。したがって、中底３０が本底上面４０ａに接着されると、中底３０の切抜孔３１の縁３１ａは、本底４０の凹部４５の開口縁４５ａに一致し、この衝撃吸収シート３３も、衝撃吸収スポンジ４７と同じく図７に示す蹴上領域Ｓｋの真下には存在せず、その蹴上領域Ｓｋの真下には中底３０の先端部分３０ｔが存在する。また、本実施形態のように、硬度が４５以上の値である中底３０を有する靴であっても、この衝撃吸収シート３３によって、足を接地した際の衝撃が本底４０に設けた衝撃吸収スポンジ４７に確実に伝わる。なお、切抜孔３１は、衝撃吸収スポンジ４７の真上に位置するものであればよく、中底３０の先端部分３０ｔに入り込まず、かつ足を接地した際の衝撃が衝撃吸収スポンジ４７に伝われば、その切抜孔の大きさは、凹部４５よりも大きくても小さくてもよい。一方、第２の切抜孔３２は、高反発スポンジ４８の真上に位置し、高反発シート３４によって塞がれる。この高反発シート３４も、中底３０よりもやわらかいものであり、その硬度は１０以上３０以下の値である。高反発シート３４としては、例えば、高反発弾性を有する合成樹脂からなるものを用いることができる。また、高反発シート３４の厚みは衝撃吸収シート３３と同じく、中底３０の厚みと等しい厚みである。
【００４３】
さらに、図６に示すように、中敷２０と中底３０の間には、図４では図示省略したスポンジシート３５が介在する。このスポンジシート３５には、図７に示す中足骨９１０の下になる部位に横アーチサポート部材３５１が設けられ、踵骨９２０の下になる部位にラテックスパット３５２が設けられている。中足骨９１０の下に設けられた横アーチサポート部材３５１は、中足骨９１０と趾骨９０の基節骨９０１との関節前端９４０１から中足骨骨頭部９１０１にかけて拡がる荷重領域Ｓｌの下に設けられた衝撃吸収シート３３や衝撃吸収スポンジ４７に比べ、いく分後側に位置する。横アーチサポート部材３５１もラテックスパット３５２も弾力性に富むものであり、いずれも、趾の並び方向Ｗ（図２参照）中央に向けて両端から漸次上方へ盛り上がった形状のものである。横アーチサポート部材３５１は、中央の最も厚い部分では両端の厚みよりも２割〜３割程度厚い。さらに、横アーチサポート部材３５１は、前後方向中央に向けて前側（つま先側）からも後側（踵側）からも漸次上方へ盛り上がった形状でもある。
【００４４】
図８は、図４に示す本底を真上から見た平面図であり、図９は、図１０のＡ−Ａ’断面図を含む断面図である。
【００４５】
図８にも、本底４０の上面４０ａに設けられた、荷重領域Ｓｌ真下の凹部４５と踵骨９２０真下の第２の凹部４６が示されている。また、図９には、衝撃吸収スポンジ４７が荷重領域Ｓｌ真下の凹部４５の上方に示されている。さらに、その衝撃吸収スポンジ４７の上方には、中底３０とスポンジシート３５も示されている。なお、この図９は断面図であるが、ハッチングは省略している。
【００４６】
図９に特にわかりやすく示されるように、荷重領域Ｓｌ真下の凹部４５を画定する壁のうち、内足側（第１趾側）の壁４５３は、断面逆“く”の字状になっており、その凹部４５には、開口縁４５ａよりも内足側に張り出した張出空間Ｒが設けられている。一方、外足側の壁４５４は、垂直な壁である。また、衝撃吸収スポンジ４７の内足側の端面４７３も外足側の端面４７４も垂直な面である。この婦人靴１を履いた人の体重は、内足側と外足側とを比べると内足側の方にかかりやすく、内足側では特に、衝撃吸収スポンジ４７の硬さと本底４０の硬さとの違いを感じやすい。図９に示すように、凹部４５の、内足側の縁の部分４５ｉは、衝撃吸収スポンジ４７が収容される収容空間４５ｒに近づくほど厚みが薄くなる。このため、内足側の縁の部分４５ｉでは、衝撃吸収スポンジ４７に近づくほど硬さがやわらかくなり、さらには、その内足側の縁の部分４５ｉが張出空間Ｒ側へ撓むことも可能である。したがって、凹部４５の内足側の縁を境にして硬さが急に変わることが防止され、この婦人靴１を履いた人は、衝撃吸収スポンジ４７の硬さと本底４０の硬さとの違いを内足側でも感じにくい。なお、断面逆“く”の字状になっている内足側の壁４５３を、図９に２点鎖線で示すように、下方へ行くほど開口面積が小さくなるように外足側に向かって傾斜させ、衝撃吸収スポンジ４７の内足側の端面４７３を、同じく２点鎖線で示すように、その傾斜に合致するように傾斜させてもよい。さらに、加工の容易性を重要視するのなら、断面逆“く”の字状になっている内足側の壁４５３を、外足側の壁４５４と同じように垂直な壁にしてもよい。
【００４７】
また、荷重領域Ｓｌ真下の凹部４５の深さＤ（図９参照）は５ｍｍ以上９ｍｍ以下であり、衝撃吸収スポンジ４７も、その凹部４５の深さＤ分の厚みを有するものである。
【００４８】
図４に示す婦人靴１は、アッパー素材１０が裏面３０ａ貼り付けられ、切欠孔３１が衝撃吸収シート３３で塞がれるとともに第２の切抜孔３２も高反発シート３４で塞がれた中底３０と、衝撃吸収スポンジ４７が凹部４５に嵌め込まれるとともに高反発スポンジ４８が第２の凹部４６に嵌め込まれた本底４０が貼り合わされ、さらに、その中底３０の上に、スポンジシート３５を介して中敷２０が貼り付けられることで完成する。こうして完成した婦人靴１では、ヒール４１によって踵が高く持ち上げられるため、この婦人靴１を履いた人の体重の大部分が、第１趾中足骨骨頭部付近と、第５趾中足骨骨頭部付近との２箇所にかかるようになる。しかしながら、この婦人靴１によれば、足を接地した際の衝撃が、中底３０に設けた衝撃吸収シート３３を介して衝撃吸収スポンジ４７に確実に伝わる。衝撃吸収スポンジ４７は、中足骨骨頭部９１０付近にかかる衝撃を、衝撃吸収シート３３と協働して分散かつ吸収し、足の痛みが軽減され長時間歩行することができる。その上、衝撃吸収スポンジ４７は、本底４０に設けられた凹部４５に嵌め込まれたものであるため、靴の底部を薄くすることができ、足下が小さく見えるように創作されたデザインに与える影響は小さい。また、衝撃吸収スポンジ４７にしても衝撃吸収シート３３にしても、前進する際に地面を蹴り上げる第１趾と第２趾の真下には存在せず、第１趾と第２趾による蹴り上げ力は、中底３０の先端部分３０ｔおよび本底４０の先端部分４０ｔによって地面にしっかりと伝わる。そのため、この婦人靴１では安定して歩行することができる。
【００４９】
加えて、第１趾と第２趾によって地面を蹴り上げて前進する前に踵骨９２０付近の１箇所にだけかかる体重によって、踵骨９２０真下の高反発シート３４および高反発スポンジ４８は一旦押しつぶされるように変形するが、こうして変形した高反発シート３４および高反発スポンジ４８には元の形に戻ろうとする復元力が強く働き、この復元力が第１趾と第２趾による地面の蹴り出しをアシストし、図４に示す婦人靴１では足が疲れにくくなる。しかも、踵骨９２０付近の１箇所にかかる衝撃は、スポンジシート３５に設けられたラテックスパッド３５２によって吸収される。
【００５０】
また、図３（ａ）に示すような扁平形状になった中足骨が、スポンジシート３５に設けられた横アーチサポート部材３５１によって、図２に示すようなアーチ形状に戻され、中足骨骨頭部をつなぐ靱帯の拡がりが解消されて足の痛みがさらに軽減される。また、扁平形状になった中足骨では足の幅（趾の並び方向Ｗの長さ）が拡がり、図１（ｂ）に示す第１趾中足骨骨頭部９１１１の外側と第５趾中足骨骨頭部９１５１の外側となる足の両側部分９６，９７（図７参照）がアッパー素材１０と擦れて痛くなるが、アーチ形状に戻されることにより足の幅が狭くなり、足の両側部分９６，９７がアッパー素材１０と擦れて痛くなることも抑えられる。
【００５１】
以上説明したように、本実施形態によれば、踵が高く持ち上げられる婦人靴１において、足下が小さく見えるように創作されたデザインを極力崩すことなく足の痛みを軽減し、長時間安定して歩行することができる。
【図面の簡単な説明】
【００５２】
【図１】人が歩行するときに足裏のどの部分に体重がかかるかを説明するための図である。
【図２】正常な人の足を趾側から見たときの模式図である。
【図３】ヒールによって踵が高く持ち上げられた婦人靴を履き続けた結果、足の骨格が変形した様子を模式的に示した図である。
【図４】本発明の一実施形態である婦人靴を示す外足側（第５趾側）の側面図である。
【図５】図４に示す中底の裏面を示す底面図である。
【図６】中敷、中底、および本底が一体化される前の分解斜視図である。
【図７】足裏の骨格を表す平面図である。
【図８】図４に示す本底を真上から見た平面図である。
【図９】図８のＡ−Ａ’断面図を含む断面図である。
【符号の説明】
【００５３】
１    婦人靴
１０    アッパー素材
２０    中敷
３０    中底
３１    切抜孔
３３    衝撃吸収シート
３２    第２の切抜孔
３４    高反発シート
３５    スポンジシート
３５１    横アーチサポート部材
３５２    ラテックスパッド
４０    本底
４０ｔ    先端部分
４１    ヒール
４５    凹部
４６    第２の凹部
４７    衝撃吸収スポンジ
４８    高反発スポンジ
９１０    中足骨
９０    趾骨
９０１    基節骨
９１０１    中足骨骨頭部
９４０１    関節前端
９０ｔ    つま先
Ｓｋ    蹴上領域
Ｓｉ    荷重領域
【図１】
2009050636.tif 000003
【図２】
2009050636.tif 000004
【図３】
2009050636.tif 000005
【図４】
2009050636.tif 000006
【図５】
2009050636.tif 000007
【図６】
2009050636.tif 000008
【図７】
2009050636.tif 000009
【図８】
2009050636.tif 000010
【図９】
2009050636.tif 000011